(57)【要約】【課題】特許文献１の無線通信装置では、装置内に備わるバックアップ電源のバッテリー容量が肥大化するという課題があった。【解決手段】無線通信装置は、予備電源を備え、主電源からの電力供給が断たれたとき、電力供給源を前記主電源から前記予備電源に切り替えることが可能な無線通信装置であって、装置に備わる電源プラグが前記主電源に備わる電源コンセントから抜かれたことを判別すると、前記電源プラグの抜き差しの有無を検出するモード判定部と、前記モード判定部の前記検出結果に基づいて、保守作業による電源断かを判別し、保守作業による電源断と判別した場合には、前記予備電源へ切り替えを行わない制御部と、を備える。【選択図】      図１１
2014120120.tif 000002
【特許請求の範囲】
【請求項１】
予備電源を備え、主電源からの電力供給が断たれたとき、電力供給源を前記主電源から前記予備電源に切り替えることが可能な無線通信装置であって、
装置に備わる電源プラグが前記主電源に備わる電源コンセントから抜かれたことを判別すると、前記電源プラグの抜き差しの有無を検出するモード判定部と、
前記モード判定部の前記検出結果に基づいて、保守作業による電源断かを判別し、保守作業による電源断と判別した場合には、前記予備電源へ切り替えを行わない制御部と、を備える、
ことを特徴とする無線通信装置。
【請求項２】
前記モード判定部は、前記電源プラグが前記電源コンセントから抜けているプラグ抜け時間を計測し、前記プラグ抜け時間が所定の時間内である場合に、前記電源プラグの抜き差し有と検出し、前記プラグ抜け時間が前記所定の時間内でない場合に、前記電源プラグの抜き差しはなしと検出する、
ことを特徴とする請求項１に記載の無線通信装置。
【請求項３】
前記制御部は、前記モード判定部が前記電源プラグの抜き差し有と検出した場合に、保守作業による電源断と判別する、
ことを特徴とする請求項１乃至２に記載の無線通信装置。
【請求項４】
前記制御部は、前記モード判定部が前記電源プラグの抜き差しはなしと検出した場合に、保守作業による電源断でないと判別する、
ことを特徴とする請求項１乃至３のいずれか１項に記載の無線通信装置。
【請求項５】
前記モード判定部は、所定回数以上、前記プラグ抜け時間が前記所定の時間内であったときに、前記電源プラグの抜き差し有と検出する、
ことを特徴とする請求項２乃至４のいずれか１項に記載の無線通信装置。
【請求項６】
保守作業による電源断と判別すると、警報を出力しない、
ことを特徴とする請求項１乃至５のいずれか１項に記載の無線通信装置。
【請求項７】
予備電源を備え、主電源からの電力供給が断たれたとき、電力供給源を前記主電源から前記予備電源に切り替えることが可能な無線通信装置の電源切替方法であって、
装置に備わる電源プラグが前記主電源に備わる電源コンセントから抜かれたことを判別すると、前記電源プラグの抜き差しの有無を検出するモード判定ステップと、
前記モード判定ステップの前記検出結果に基づいて、保守作業による電源断かを判別し、保守作業による電源断と判別した場合には、前記予備電源へ切り替えを行わない制御ステップと、を備える、
ことを特徴とする電源切替方法。
【請求項８】
前記モード判定ステップは、前記電源プラグが前記電源コンセントから抜けているプラグ抜け時間を計測し、前記プラグ抜け時間が所定の時間内である場合に、前記電源プラグの抜き差し有と検出し、前記プラグ抜け時間が前記所定の時間内でない場合に、前記電源プラグの抜き差しはなしと検出する、
ことを特徴とする請求項７に記載の電源切替方法。
【請求項９】
前記制御ステップは、前記モード判定ステップが前記電源プラグの抜き差し有と検出した場合に、保守作業による電源断と判別する、
ことを特徴とする請求項７乃至８のいずれか１項に記載の電源切替方法。
【請求項１０】
前記モード判定ステップは、所定回数以上、前記プラグ抜け時間が前記所定の時間内であったときに、前記電源プラグの抜き差し有と検出する、
ことを特徴とする請求項７乃至９のいずれか１項に記載の電源切替方法。
【発明の詳細な説明】
【技術分野】
【０００１】
本発明は、無線通信装置、電源切替方法に関し、特に、電源断が保守作業による電源断かを判別する無線通信装置、電源切替方法に関する。
【背景技術】
【０００２】
一般的に、無線通信装置は、電源が断たれたとき、すなわち電源断となったときには、警報を保守監視装置に出力することが知られている。警報は、「電源断アラーム」と呼ばれる。一方、関連技術として、一般的な無線通信装置は、電源断時、保守作業による電源断かを判別し、保守作業による電源断と判別したときには、警報を出力しないことも知られている。保守作業による電源断かを判別する無線通信装置としては、以下の特許文献１が開示されている。
【０００３】
特許文献１の無線通信装置は、起動通知信号検出部と、電源断アラーム判定部を備える。起動通知信号検出部は、保守作業時、代替として設置される無線通信装置（以下、「代替無線通信装置」という）が出力する起動通知信号を起動通知信号検出部にて検出する。電源断アラーム判定部は、主電源の電圧が所定値以下であり、電源プラグが電源コンセントから抜けており、かつ起動通知信号検出部にて起動通知信号が検出された場合は、保守作業による電源断と判別し、電源断アラームを出力しない。
【０００４】
上述の構成や動作の通り、特許文献１の無線通信装置は、電源断となったとき、代替無線通信装置からの起動通知信号を検出することで、保守作業による電源断と判別して、電源断アラームを出力しないようにする。
【先行技術文献】
【特許文献】
【０００５】
【特許文献１】特開２０１１−１００２３２号公報
【発明の概要】
【発明が解決しようとする課題】
【０００６】
しかし、特許文献１の無線通信装置では、装置内に備わるバックアップ電源のバッテリー容量が肥大化するという課題があった。その理由を以下に説明する。なお、図１は、特許文献１の無線通信装置の構成図である。
【０００７】
まず、特許文献１の無線通信装置は、電源断となったとき、起動通知信号を検出することで、保守作業による電源断と判別する。その為、特許文献１の無線通信装置は、電源断となっても、起動通知信号を検出できるように、正常に稼動し続けなければならない。その為、特許文献１の無線通信装置は、図１に示されるようなバックアップ電源を備え、バックアップ電源が電源断後、装置に電力を供給する。しかし、代替無線通信装置から起動通知信号が出力されるタイミングは不定であるので、特許文献１の無線通信装置のバックアップ電源は、起動通知信号を検出できるように十分長い時間、装置に電力を供給できるものでなくてはならない。その為、特許文献１の無線通信装置に備わるバックアップ電源は、バッテリー容量の大きなものとなってしまう。すなわち、特許文献１の無線通信装置では、バックアップ電源のバッテリー容量が肥大化してしまう。
【０００８】
本発明は、上記課題を解決する無線通信装置、電源切替方法を提供することを目的とする。
【課題を解決するための手段】
【０００９】
上記目的を達成するために、本発明の無線通信装置は、予備電源を備え、主電源からの電力供給が断たれたとき、電力供給源を前記主電源から前記予備電源に切り替えることが可能な無線通信装置であって、装置に備わる電源プラグが前記主電源に備わる電源コンセントから抜かれたことを判別すると、前記電源プラグの抜き差しの有無を検出するモード判定部と、前記モード判定部の前記検出結果に基づいて、保守作業による電源断かを判別し、保守作業による電源断と判別した場合には、前記予備電源へ切り替えを行わない制御部と、を備える。
【００１０】
上記目的を達成するために、本発明の電源切替方法は、予備電源を備え、主電源からの電力供給が断たれたとき、電力供給源を前記主電源から前記予備電源に切り替えることが可能な無線通信装置の電源切替方法であって、装置に備わる電源プラグが前記主電源に備わる電源コンセントから抜かれたことを判別すると、前記電源プラグの抜き差しの有無を検出するモード判定ステップと、前記モード判定ステップの前記検出結果に基づいて、保守作業による電源断かを判別し、保守作業による電源断と判別した場合には、前記予備電源へ切り替えを行わない制御ステップと、を備える。
【発明の効果】
【００１１】
本発明によれば、電源断アラームを出力する無線通信装置は、装置内に備わるバックアップ電源のバッテリー容量を削減することができる。
【図面の簡単な説明】
【００１２】
【図１】特許文献１の無線通信装置の構成図である。
【図２】本発明の第１の実施の形態における無線通信装置の構成例を示す図である。
【図３】本発明の第１の実施の形態における無線通信装置に備わる電源プラグの状態を説明する為の図である。
【図４】本発明の第１の実施の形態における無線通信装置の構成例を、ＰＨＳ（Ｐｅｒｓｏｎａｌ  Ｈａｎｄｙ−ｐｈｏｎｅ  Ｓｙｓｔｅｍ）の無線通信装置に適用した場合の構成例を示す図である。
【図５】本発明の第１の実施の形態における無線通信装置の動作を説明する為の図である。
【図６Ａ】本発明の第１の実施の形態における無線通信装置の保守作業時の動作について概略を示す図である。
【図６Ｂ】本発明の第１の実施の形態における無線通信装置の保守作業時の動作について概略を示す図（図６Ａからの続きの図）である。
【図７】本発明の第１の実施の形態における無線通信装置の動作を一覧表に纏めた図である。
【図８】特許文献１の無線通信装置の動作を一覧表に纏めた図である。
【図９】本発明の第２の実施の形態における無線通信装置の構成例を示す図である。
【図１０】本発明の第２の実施の形態における無線通信装置の動作を説明する為の図である。
【図１１】本発明の第３の実施の形態における無線通信装置の構成例を示す図である。
【発明を実施するための形態】
【００１３】
次に本発明の実施形態について、図面を参照して詳細に説明する。
【００１４】
［第１の実施の形態］
本発明の第１の実施の形態における無線通信装置は、保守作業者が、保守作業の１つとして電源プラグを一度抜き差しすることを前提とする。本発明の第１の実施の形態における無線通信装置は、起動通知信号を検出する代わりに、保守作業者による電源プラグの抜き差しを検出することによって、電源断が保守作業による電源断と判別する。以下に、本発明の第１の実施の形態における無線通信装置の構成や機能、動作について説明する。
【００１５】
［構成の説明］
まず、本発明の第１の実施の形態における無線通信装置の構成と機能について説明する。
【００１６】
（１）本発明の第１の実施の形態における無線通信装置の構成
図２は、本発明の第１の実施の形態における無線通信装置の構成例を示す図である。図２に示されるように、本実施形態の無線通信装置１００は、無線通信部１と、制御部２と、保守モード判定部３と、電源監視部４と、プラグ状態監視部５と、電源断アラーム判定部６とバックアップ電源７を含んで構成される。
【００１７】
制御部２は、無線通信部１と、保守モード判定部３と、電源断アラーム判定部６に接続される。電源断アラーム判定部６は、電源監視部４と、プラグ状態監視部５に接続される。プラグ状態監視部５は、保守モード判定部３と接続される。バックアップ電源７は、無線通信部１と、制御部２と、保守モード判定部３と、電源監視部４と、プラグ状態監視部５と、電源断アラーム判定部６に接続される。
【００１８】
なお、図示していないが、本実施形態の無線通信装置は、電源プラグを備える。電源プラグは、ＡＣ電源（以下、「主電源」という）の差込口である電源コンセントに接続されることで、本実施形態の無線通信装置を構成する上述の各部位に電力を供給する。
【００１９】
（２）本発明の第１の実施形態における無線通信装置を構成する各部位の機能
無線通信部１は、公知の無線通信機能を備える。公知の無線通信機能は、一般的なＰＨＳの無線通信機能であってもよいし、３ＧＰＰ（３ｒｄ  Ｇｅｎｅｒａｔｉｏｎ  Ｐａｒｔｎｅｒｓｈｉｐ  Ｐｒｏｊｅｃｔ）に従った無線通信機能であってもよい。
【００２０】
制御部２は、保守モードを指定する信号や通常モードを指定する信号（保守モード判定部３の機能の説明に後述）、電圧断を示す信号（電源監視部４の機能の説明に後述）が入力されると、これらの信号を基に、保守作業による電源断かを判別する。また、制御部２は、保守作業による電源断かを判別すると共に、電源断アラーム出力の有無も決定する。保守作業による電源断かを判別する方法、及び電源断アラーム出力の有無を決定する方法については、以下の［動作の説明］に詳細を記載する。制御部２は、電源断アラームを出力すると決定すると、電源断アラームに対応する信号を出力する。制御部２は、電源断アラームを出力しないと決定すると、電源断アラームに対応する信号を出力しない。
【００２１】
保守モード判定部３は、電源プラグの状態を示す信号（プラグ状態監視部５の機能の説明に後述）が入力されると、この信号を基に、電源プラグが電源コンセントから抜けているかを判別する。電源プラグの状態を示す信号は、以下、「電源プラグ状態信号」という。保守モード判定部３は、電源プラグが電源コンセントから抜けていると判別した場合、自身に備わる計時機能を用いて、電源プラグが電源コンセントから抜けている時間を計測する。具体的には、保守モード判定部３は、電源プラグが電源コンセントから抜けていると判別した場合、計時機能を動作させ、所定の時間ｔ０を限度として、電源プラグが電源コンセントに差し込まれた状態を示す電源プラグ状態信号が入力されるまで時間を計る。所定の時間ｔ０は、本実施形態の無線通信装置のユーザによって設定される。保守モード判定部３は、計測した電源コンセントから抜けている時間が所定の時間内であれば、保守作業者による電源プラグの抜き差し有と検出し、保守モードと認識して、保守モードを指定する信号を出力する。上述の所定の時間内とは、所定の時間ｔ１（例えば、１００ｍｓ）以上で、所定の時間ｔ２（例えば、１０００ｍｓ）以下の時間であってもよい。所定の時間ｔ１、ｔ２は、本実施形態の無線通信装置のユーザによって設定される。所定の時間ｔ２は、所定の時間よりも短い時間である。なお、保守モード判定部３は、電源コンセントから抜けている時間が所定の時間外であれば、保守作業者による電源プラグの抜き差し無と検出し、通常モードと認識して、通常モードを指定する信号を出力する。
【００２２】
電源監視部４は、電源プラグを経由して主電源から供給される電力の電圧を監視し、電圧が所定値以下に低下したとき、すなわち電源断となったとき、電圧断を示す信号を出力する。所定値は、本実施形態の無線通信装置のユーザによって設定される。
【００２３】
プラグ状態監視部５は、電源プラグが電源コンセントに差し込まれた状態か、若しくは電源プラグが電源コンセントから抜けているのか、電源プラグの挿抜状況を監視する。図３は、本発明の第１の実施の形態における無線通信装置に備わる電源プラグの状態を説明する為の図である。電源プラグには、識別スイッチ５２が設けられている。識別スイッチ５２は、電源プラグ５３が電源コンセントから抜けている場合、電源プラグ５３から突出するよう構成されている。電源プラグ５３が電源コンセントから抜け、識別スイッチ５２が電源プラグ５３から突出した状態を以下、「識別スイッチ・オフ状態」という。また、図３の下図に示されるように、電源プラグ５３が電源コンセントに差し込まれている場合、識別スイッチ５２は、電源プラグ５３の内部へ後退するよう構成されている。電源プラグ５３が電源コンセントに差し込まれ、識別スイッチ５２が電源プラグ５３の内部へ後退した状態を以下、「識別スイッチ・オン状態」という。電源プラグの挿抜状況を監視するとは、具体的には、プラグ状態監視部５が、電源プラグが識別スイッチ・オフ状態、若しくは識別スイッチ・オン状態のどちらなのかを所定の周期毎に確認することである。所定の周期は、本実施形態の無線通信装置のユーザによって設定される。プラグ状態監視部５は、電源プラグ５３が識別スイッチ・オフ状態から識別スイッチ・オン状態に移行する、若しくは識別スイッチ・オン状態から識別スイッチ・オフ状態に移行すると、移行した状態を、電源プラグの状態を示す信号として出力する。
【００２４】
電源断アラーム判定部６は、電圧断を示す信号が入力されると、その信号を出力する。
【００２５】
バックアップ電源７は、電圧断を示す信号が入力されると、自身に蓄えられた電力を各機能部に供給する。また、バックアップ電源７は、供給不可信号が入力されると、その後、自身に蓄えられた電力を各機能部に供給しない。
【００２６】
無線通信部１と、電源監視部４と、プラグ状態監視部５と、電源断アラーム判定部６は、電子回路やＦＰＧＡ（Ｆｉｅｌｄ−Ｐｒｏｇｒａｍｍａｂｌｅ  Ｇａｔｅ  Ａｒｒａｙ）を用いて実現することができる。制御部２や保守モード判定部３は、電子回路やＦＰＧＡ、さらにＤＳＰ（Ｄｉｇｉｔａｌ  Ｓｉｇｎａｌ  Ｐｒｏｃｅｓｓｏｒ）を用いて実現することができる。バックアップ電源７は、スーパーキャパシタ等を用いた一般的な電子回路で実現することができる。
【００２７】
（３）本実施形態の無線通信装置の構成をＰＨＳ無線通信装置に適用した場合の構成
図４は、本発明の第１の実施の形態における無線通信装置の構成例を、ＰＨＳの無線通信装置に適用した場合の構成例を示す図である。図４は、図３と同じ構成部分については同一番号を付している。なお、同図は、本実施形態の無線通信装置の構成例を、ＰＨＳの無線通信装置（以下、「ＰＨＳ無線通信装置」という）のみに適用するものと限定するものではない。本実施形態の無線通信装置の構成例は、送受信機能を備えた無線通信装置であれば、他の無線通信装置にも適用が可能である。
【００２８】
図４を参照すると、ＰＨＳ無線通信装置１０１は、ＰＨＳ無線通信部１１と、制御部２と、保守モード判定部３と、電源監視部４と、スイッチ（ＳＷ）監視部５１と、識別スイッチ５２と、電源断アラーム判定部６とを含んで構成される。さらに、ＰＨＳ無線通信装置１０１は、バックアップ電源７と、インタフェース（ＩＮＦ）部１２と、ＡＣ（Ａｌｔｅｒｎａｔｉｎｇ  Ｃｕｒｒｅｎｔ）／ＤＣ(Ｄｉｒｅｃｔ  Ｃｕｒｒｅｎｔ)部１３とを含んで構成される。制御部２は、ＰＨＳ無線通信部１１と、保守モード判定部３と、電源断アラーム判定部６と、インタフェース（ＩＮＦ）部１２に接続される。スイッチ（ＳＷ）監視部５１は、保守モード判定部３と、電源断アラーム判定部６と、識別スイッチ５２に接続される。さらに、ＰＨＳ無線通信装置１０１は、ユーザ端末２００やＰＨＳ網３００に接続される。ＰＨＳ網３００には、保守監視装置や他のＰＨＳ無線装置が含まれる。保守監視装置は、ＰＨＳ無線通信装置１０１から情報を収集する装置である。ＰＨＳ無線通信装置１０１は、ＰＨＳ方式の無線にて、ユーザ端末２００やＰＨＳ網３００の装置と接続される。
【００２９】
以下、ＰＨＳ無線通信装置１０１の構成部分について機能を説明するが、図３と同一番号を付した構成部分については、同じ機能であるので、その説明を省略する。
【００３０】
ＰＨＳ無線通信部１１は、保守監視装置とＰＨＳ方式で無線通信を行う。具体的には、ＰＨＳ無線通信部１１は、入力される電源断アラームに対応する信号を、ＰＨＳ方式の無線信号に変換して保守監視装置に出力する。
【００３１】
スイッチ（ＳＷ）監視部５１は、上述のプラグ状態監視部５と同じ機能を有する。すなわち、スイッチ（ＳＷ）監視部５１は、電源プラグが識別スイッチ・オフ状態、若しくは識別スイッチ・オン状態のいずれなのかを所定の周期毎に確認する。また、プラグ状態監視部５は、確認した識別スイッチ・オフ状態、若しくは識別スイッチ・オン状態を、電源プラグの状態を示す信号として出力する。
【００３２】
インタフェース（ＩＮＦ）部１２は、ＰＨＳ無線通信部１１と同じ機能を有しており、ユーザ端末７０とＰＨＳ方式で無線通信を行う。
【００３３】
ＡＣ／ＤＣ部１３は、ＡＣ電圧をＤＣ電圧に変換する公知の電圧変換部である。具体的には、ＡＣ／ＤＣ部１３は、電源プラグをコンセントに挿入することで入力される電力のＡＣ電圧をＤＣ電圧に変換して、装置内の各部位に出力する。ＡＣ／ＤＣ部１３は、図示していないが、電源プラグに接続される。ＰＨＳ無線通信装置１０１の各部位は、ＡＣ／ＤＣ部１３から電力の供給を受ける。
【００３４】
［動作の説明］
図５は、本発明の第１の実施の形態における無線通信装置の動作を説明する為の図である。また、図６Ａは、本発明の第１の実施の形態における無線通信装置の保守作業時の動作について概略を示す図である。さらに、図６Ｂは、本発明の第１の実施の形態における無線通信装置の保守作業時の動作について概略を示す図（図６Ａからの続きの図）である。
【００３５】
本実施形態の無線通信装置は、電源断となったとき、保守作業者による電源プラグの抜き差しの有無を検出することで、電源断が保守作業による電源断なのかを判別する。図４、図５、および図６Ａ〜Ｂを用いて、本実施形態の無線通信装置の動作を以下に説明する。
【００３６】
（１）電源断の検出
まず、本実施形態の無線通信装置は、電源断となったことを検出する。具体的には、図示していないが、本実施形態の無線通信装置の電源監視部４が、電源プラグを経由して主電源から装置に供給される電力の電圧が所定値以下となったことを検出する。電源監視部４は、電源断となったことを検出すると、電圧断を示す信号を電源断アラーム判定部６に通知する。電源断アラーム判定部６は、制御部２に電圧断を示す信号を出力する。「（３）保守作業による電源断のか判別」に後述するが、電圧断を示す信号は、制御部２において、保守作業による電源断が発生しているのかを判別するのに使用される。
【００３７】
（２）保守作業者による電源プラグの抜き差しの検出
さらに、本実施形態の無線通信装置は、保守作業者による電源プラグの抜き差しが行われたのか、その有無を検出する。その検出方法の詳細を、以下の「（２−２）保守作業者による電源プラグの抜き差しの有無検出」に示すが、その前に、保守作業者により電源プラグの抜き差しが行われた際のスイッチ（ＳＷ）監視部５１の動作を説明しておく。本実施形態の無線通信装置は、スイッチ（ＳＷ）監視部５１から入力される電源プラグ状態信号に基づいて、保守作業者による電源プラグの抜き差しの有無を検出するからである。
【００３８】
（２−１）スイッチ（ＳＷ）監視部５１の動作
まず、抜き差しを行う為に、保守作業者が電源コンセントから電源プラグを抜くと、電源プラグに設けられている識別スイッチ５２が、図３に示されるような識別スイッチ・オフ状態に移行する。移行すると、スイッチ（ＳＷ）監視部５１は、識別スイッチ・オフ状態であることを示す電源プラグ状態信号を、保守モード判定部３に通知する。さらに、抜き差しを行う為に、保守作業者が抜いた電源プラグを電源コンセントに差し込むと、電源プラグに設けられている識別スイッチ５２が、識別スイッチ・オン状態に移行する。移行すると、スイッチ（ＳＷ）監視部５１は、識別スイッチ・オン状態であることを示す電源プラグ状態信号を、保守モード判定部３に通知する。
【００３９】
（２−２）保守作業者による電源プラグの抜き差しの検出（具体的動作）
本実施形態の無線通信装置１０１は、保守作業者による電源プラグの抜き差しが行われたのか、その有無を以下の通りに検出する。
【００４０】
まず、保守モード判定部３は、図５に示されるように、プラグ状態監視部５から電源プラグ状態信号が通知された場合、通知された電源プラグ状態信号を基に、電源プラグが電源コンセントから抜かれたかを判別する（Ｓ１０）。
【００４１】
具体的には、保守モード判定部３は、プラグ状態監視部５から電源プラグ状態信号が通知された場合、通知された電源プラグ状態信号が識別スイッチ・オフ状態であることを示す信号であるかを判別する。保守モード判定部３は、電源プラグ状態信号が識別スイッチ・オフ状態であることを示す信号である場合に電源プラグが電源コンセントから抜かれたと判別する。
【００４２】
次に、保守モード判定部３は、電源プラグが電源コンセントから抜かれたと判別した場合（Ｓ１０でＹｅｓの場合）には、以下のＳ２０以降の手順を実施する。以下のＳ２０以降の手順は、抜かれた電源プラグが再度電源コンセントに差し込まれたのか、すなわち電源プラグの抜き差しが行われたのか、その有無を検出する手順である。
【００４３】
まず、保守モード判定部３は、電源プラグが電源コンセントから抜かれたと判別した場合（Ｓ１０でＹｅｓの場合）、電源プラグが電源コンセントから抜けている時間（以下、「電源プラグ抜け時間」という）を計測する（Ｓ２０）。
【００４４】
具体的には、保守モード判定部３は、電源プラグが電源コンセントから抜けていると判別した場合、計時機能を動作させ、所定の時間ｔ０を限度として、識別スイッチ・オン状態であることを示す電源プラグ状態信号が入力されるまでの時間を計る。保守作業者により電源プラグの抜き差しが行なわれるのであれば、抜かれていた電源プラグが差し込まれ、識別スイッチ・オン状態であることを示す電源プラグ状態信号がスイッチ（ＳＷ）監視部５１から保守モード判定部３に入力される。その結果、保守モード判定部３は、所定の時間ｔ０ではない電源プラグ抜け時間（例えば、３００ｍｓ）を計ることができる。
一方、電源プラグの抜き差しが行われない場合、電源プラグが差し込まれないので、識別スイッチ・オン状態であることを示す電源プラグ状態信号がスイッチ（ＳＷ）監視部５１から保守モード判定部３に入力されない。この場合、所定の時間ｔ０まで計時機能が動作し、所定の時間ｔ０になると、保守モード判定部３は、電源プラグ抜け時間を所定の時間ｔ０とした上で、次のステップＳ３０を実行する。
【００４５】
次に、保守モード判定部３は、図５に示されるように、電源プラグ抜け時間が所定の時間ｔ２（例えば、１０００ｍｓ）より長いかを確認する（Ｓ３０）。
【００４６】
次に、保守モード判定部３は、電源プラグ抜け時間が所定の時間ｔ２（例えば、１０００ｍｓ）より長いのであれば、（Ｓ３０でＹｅｓの場合）、保守作業者による電源プラグの抜き差しはなしと検出し、通常モードと認識する（Ｓ４０）。
【００４７】
上述のＳ２０において、電源プラグの抜き差しが行われない場合、電源プラグ抜け時間をｔ０となることを説明したが、保守モード判定部３は、上述のＳ４０を行うことにより、保守作業者による電源プラグの抜き差しはなしと検出することができる。[構成の説明]（保守モード判定部３の機能説明）に上述したように、ｔ０はｔ２よりも長い時間に設定されるからである。なお、保守モード判定部３は、通常モードと認識すると、制御部２に対し、通常モードを指定する信号を出力する。
【００４８】
次に、保守モード判定部３は、電源プラグ抜け時間が所定の時間ｔ２（例えば、１０００ｍｓ）以下であれば（Ｓ３０でＮｏの場合）、電源プラグ抜け時間が所定の時間ｔ１（例えば、１００ｍｓ）以上かを確認する（Ｓ５０）。
【００４９】
次に、保守モード判定部３は、電源プラグ抜け時間が所定の時間ｔ１（例えば、１００ｍｓ）以上であれば（Ｓ５０でＹｅｓの場合）、保守作業者による電源プラグの抜き差し有と検出し、保守モードと認識する（Ｓ６０）。この場合、保守モード判定部３は、制御部２に対し、保守モードを指定する信号を出力する。
【００５０】
なお、保守モード判定部３は、電源プラグ抜け時間が所定の時間ｔ１（例えば、１００ｍｓ）以上でない場合（Ｓ５０でＮｏの場合）には、電源プラグ状態信号の発生はノイズによるものであったと判定し、プラグ状態監視部５から次の電源プラグ状態信号が通知されるのを待つ。保守モード判定部３は、次の電源プラグ状態信号がプラグ状態監視部５から通知されれば、上述のＳ１０以降の処理を実行する。
【００５１】
また、保守モード判定部３は、電源プラグが電源コンセントから抜けていないと判定した場合（Ｓ１０でＮｏの場合）には、図示していないが、電源プラグが抜けていないことを示す信号を制御部２に出力する。電源プラグが抜けていないことを示す信号をした保守モード判定部３は、電源プラグ状態信号がプラグ状態監視部５から通知されるのを待つ。保守モード判定部３は、電源プラグ状態信号がプラグ状態監視部５から通知されれば、上述のＳ１０以降の処理を実行する。
【００５２】
（３）保守作業による電源断かの判別
次に、制御部２は、以下の通り、電源断の検出、及び電源プラグの抜き差しの有無を検出したことに基づいて、電源断が保守作業による電源断かを判別する。さらに、制御部２は、電源断アラーム出力の有無も決定する。
【００５３】
（Ｉ）制御部２は、電源断アラーム判定部６から電圧断を示す信号が入力された場合、且つ、保守モード判定部３から保守モードを指定する信号が入力された場合には、保守作業による電源断と判別し、電源断アラームを出力しないことを決定する。
【００５４】
（ＩＩ）制御部２は、電源断アラーム判定部６から電圧断を示す信号が入力された場合、且つ、保守モード判定部３から通常モードを指定する信号が入力された場合には、保守作業による電源断ではないと判別し、電源断アラームを出力することを決定する。
【００５５】
（ＩＩＩ）制御部２は、電源断アラーム判定部６から電圧断を示す信号が入力された場合、且つ、保守モード判定部３から電源プラグが抜けていないことを示す信号が入力された場合には、保守作業による電源断ではないと判別する。さらに、制御部２は、電源断アラームを出力することを決定する。
【００５６】
（ＩＶ）制御部２は、電源断アラーム判定部６から電圧断を示す信号が入力されていない場合には、電源断が発生していないので、電源断アラームを出力しないことを決定する。
【００５７】
次に、制御部２は、図示していないが、電源断アラームを出力することを決定すると、電源断アラームに対応する信号を無線通信部１に出力する。無線通信部１は、電源断アラームに対応する信号が入力されると、その信号を無線にて保守監視装置に通知する。なお、無線通信部１がＰＨＳ無線通信部１１であった場合、ＰＨＳ無線通信部１１は、ＰＨＳ方式にて、電源断アラームに対応する信号を保守監視装置に通知する。
【００５８】
また、制御部２は、電源断アラームを出力しないことを決定すると、電源断アラームに対応する信号を無線通信部１に出力しない。その結果、本実施形態の無線通信装置は、電源断アラームに対応する信号を保守監視装置に通知しない。
【００５９】
なお、図示していないが、制御部２は、上述の（Ｉ）により一度、電源断アラームを出力しないと判定すると、装置が初期化されるまで、電源断アラームに対応する信号を無線通信部１に出力しない。装置の初期化は、保守作業完了時に保守作業者によって実施がされる。保守作業者は、装置に備わるリセットスイッチを押下して、装置を初期化してもよい。
【００６０】
さらに、本実施形態の無線通信装置は、上述の（Ｉ）にて保守作業による電源断を判別した後、バックアップ電源７から電力が供給され続けないよう制御を行う。バックアップ電源のバッテリー容量を確実に削減できるようにする為である。具体的には、制御部２は、上述の（Ｉ）にて保守作業による電源断と判別した後、バックアップ電源７に供給停止信号を出力する。供給不可信号が入力されたバックアップ電源７は、自身に蓄えられた電力を各機能部に供給しなくなる。なお、上述の「バックアップ電源７から電力が供給され続けないよう制御を行う」は、以下、「バックアップ電源へ切り替えを行わない」という。
【００６１】
（４）保守作業時のＰＨＳ無線通信装置１０１の動作例
上述の動作により本実施形態の無線通信装置、例えばＰＨＳ無線通信装置１０１は、保守作業時、以下の通りに動作することとなる。
【００６２】
まず、保守作業者が保守作業時、電源プラグの抜き差しを行うと、ＰＨＳ無線通信装置１０１は、図６Ａに示すように、保守モードと認識し、電源断アラームに対応する信号を、センター局、すなわち保守監視装置に通知しない。また、ＰＨＳ無線通信装置１０１は、バックアップ電源７からの電力供給が停止する。保守作業者は、ＰＨＳ無線通信装置１０１を取り外し、代替のＰＨＳ無線通信装置１１０を設置した後、ＰＨＳ無線通信装置１０１の保守作業を開始する。
【００６３】
一方、保守作業でなく、故障等、何らかの要因で電源断したときには、ＰＨＳ無線通信装置１０１は、図６Ｂに示すように、通常モードと認識し、電源断アラームに対応する信号をセンター局に通知する。その後、保守作業者が、故障の可能性のあるＰＨＳ無線通信装置１０１を取り外し、ＰＨＳ無線通信装置１１０と交換する。
【００６４】
［効果の説明］
本実施形態によれば、無線通信装置は、装置内に備わるバックアップ電源のバッテリー容量を削減することができる。
【００６５】
その理由は、本実施形態の無線通信装置が、電源断時、保守作業者による電源プラグの抜き差しを検出することによって、保守作業による電源断か、それ以外の要因で電源断かを判別するからである。その結果、本実施形態の無線通信装置は、保守作業による電源断かを判別するために、起動通知信号の受信を長時間待つ必要がなくなるので、その分バックアップ電源のバッテリー容量を削減することができる。
【００６６】
なお、図７は、本発明の第１の実施の形態における無線通信装置の動作を一覧表に纏めた図である。また、図８は、特許文献１の無線通信装置の動作を一覧表に纏めた図である。
図７と図８の太枠内の部分は、各無線通信装置の電源断アラーム出力の有無を纏めたものである。図７と図８の太枠内の部分を比較すると、本実施形態の無線通信装置は、バックアップ電源のバッテリー容量を削減する効果を有しながら、特許文献１の無線通信装置と同じように、電源断アラーム出力の有無を決定することができる。
【００６７】
［第２の実施の形態］
次に、本発明の第２の実施の形態について説明する。第２の実施の形態の無線通信装置は、雷等に起因する自然ノイズにより、プラグ状態監視部５が識別スイッチ・オフ状態を誤検出する場合であっても安定して保守モードと判定するものである。具体的には、第２の実施の形態の無線通信装置は、電源プラグ抜け時間が所定時間内であることを複数回、確認した場合に保守モードと判定する。なお、保守作業時、保守作業者が複数回、電源プラグを抜き差しすることを前提とする。
【００６８】
［構成の説明］
図９は、本発明の第２の実施の形態における無線通信装置の構成例を示す図である。第２の実施の形態における無線通信装置５００は、図９に示されるように、保守モード判定部３の代わりに、保守モード判定部５０３を備える。
【００６９】
保守モード判定部５０３は、電源プラグが電源コンセントから抜けている時間が所定の時間内である場合に、自身に備わるカウンタを１インクリメントする。カウンタの初期値は０であってもよい。保守モード判定部５０３は、カウンタが所定回数を超えた場合に保守作業者による電源プラグの抜き差し有と検出し、保守モードと認識する。所定回数は、２以上の回数であり、本実施形態の無線通信装置のユーザによって設定される。また、保守モード判定部５０３は、電源プラグが電源コンセントに差し込まれている時間を計測する。具体的には、保守モード判定部５０３は、識別スイッチ・オン状態であることを示す電源プラグ状態信号を連続して受信する時間を計測する。保守モード判定部５０３は、電源プラグが電源コンセントに差し込まれている時間が所定時間以上である場合、カウンタを初期値にクリアする。所定時間は、本実施形態の無線通信装置のユーザによって設定される。
【００７０】
なお、上述した以外の構成や機能は、第１の実施の形態のおける無線通信端末を適用した無線通信装置と同じであるので、同一の符号を付して説明を省略する。
【００７１】
［動作の説明］
図１０は、本発明の第２の実施の形態における無線通信装置の動作を説明する為の図である。図１０を用いて、本実施形態における無線通信装置５００の動作を説明する。
【００７２】
まず、無線通信装置５００の保守モード判定部５０３は、上述のＳ５０でＹｅｓの場合、すなわち、電源プラグ抜け時間が所定の時間ｔ１（例えば、１００ｍｓ）以上の場合には、カウンタを１インクリメントする（Ｓ１１０）。カウンタの初期値は０であってもよい。
【００７３】
次に、保守モード判定部５０３は、カウンタの値が所定回数より大きいかを確認する（Ｓ１２０）。
【００７４】
次に、保守モード判定部３は、カウンタの値が所定回数より大きい場合（Ｓ１２０でＹｅｓの場合）、保守作業者による電源プラグの抜き差し有と検出し、保守モードと認識する（Ｓ１３０）。図１０では、所定回数を３に設定した場合を例として記載している。
【００７５】
保守モード判定部５０３は、カウンタの値が所定回数以下である場合（Ｓ１２０でＮｏの場合）、プラグ状態監視部５から次の電源プラグ状態信号が通知されるのを待つ。
【００７６】
また、保守モード判定部５０３は、以下の通りにカウンタの値を初期値にクリアする。
【００７７】
まず、保守モード判定部５０３は、上述のＳ１０でＮｏの場合、すなわち電源プラグが電源コンセントに差し込まれていると判断された場合は、電源プラグが電源コンセントに差し込まれている時間を計測し、その時間が所定時間以上であるかを確認する（Ｓ１００）。
【００７８】
具体的には、保守モード判定部５０３は、識別スイッチ・オン状態であることを示す電源プラグ状態信号を連続して受信する時間を計測し、その時間が所定時間以上であるかを確認する。若しくは、保守モード判定部５０３は、上述のＳ１０でＮｏと連続して判断される時間を計測し、その時間が所定時間以上であるかを確認してもよい。
【００７９】
次に、保守モード判定部５０３は、電源プラグが電源コンセントに差し込まれている時間が所定時間以上である場合（Ｓ１００でＹｅｓの場合）、カウンタを初期値にクリアする。図１０では、初期値０にクリアする例を記載している。
【００８０】
保守モード判定部５０３は、カウンタを初期値にクリアした後、プラグ状態監視部５から次の電源プラグ状態信号が通知されるのを待つ。また、保守モード判定部５０３は、電源プラグが電源コンセントに差し込まれている時間が所定時間より短い場合（Ｓ１００でＮｏの場合）も、プラグ状態監視部５から次の電源プラグ状態信号が通知されるのを待つ。
【００８１】
その他の動作については、第１の実施の形態の動作と同様である為、詳細の説明を省略する。
【００８２】
［効果の説明］
本実施形態によれば、無線通信装置は、雷等に起因する自然ノイズにより、プラグ状態監視部５が識別スイッチ・オフ状態を誤検出する場合であっても安定して保守モードと判定することができる。その理由として、本実施の形態の無線通信装置は、電源プラグ抜け時間が所定時間内かを複数回、確認した場合に保守モードと判定するからである。
【００８３】
［第３の実施の形態］
次に、本発明の第３の実施の形態について説明する。
【００８４】
［構成の説明］
図１１は、本発明の第３の実施の形態における無線通信装置の構成例を示す図である。
【００８５】
第３の実施の形態における無線通信装置１０００は、図示していないが、予備電源を備え、主電源からの電力供給が断たれたとき、電力供給源を主電源から予備電源に切り替えることが可能な無線通信装置である。
【００８６】
第３の実施の形態における無線通信装置１０００は、図１１に示されるように、モード判定部１００１と、制御部１００２から構成される。制御部１００２は、モード判定部１００１に接続される。
【００８７】
モード判定部１００１は、装置に備わる電源プラグが主電源に備わる電源コンセントから抜かれたことを判別すると、電源プラグの抜き差しの有無を検出する。
【００８８】
制御部１００２は、モード判定部１００１の検出結果に基づいて、保守作業による電源断かを判別し、保守作業による電源断と判別した場合には、予備電源へ切り替えを行わない。
【００８９】
[動作の説明]
まず、モード判定部１００１は、装置に備わる電源プラグが主電源に備わる電源コンセントから抜かれたことを判別すると、電源プラグの抜き差しの有無を検出する。
【００９０】
具体的には、モード判定部１００１は、電源プラグが電源コンセントから抜かれたことを判別すると、電源プラグが電源コンセントから抜けているプラグ抜け時間を計測し、プラグ抜け時間が所定の時間内である場合に、電源プラグの抜き差し有と検出する。また、モード判定部１００１は、プラグ抜け時間が所定の時間内でない場合に、電源プラグの抜き差しはなしと検出する。所定の時間は、本実施形態の無線通信装置のユーザによって設定される。
【００９１】
次に、制御部１００２は、モード判定部１００１の検出結果に基づいて、保守作業による電源断かを判別し、保守作業による電源断と判別した場合には、予備電源へ切り替えを行わない。
【００９２】
具体的には、制御部１００３は、モード判定部１００１が電源プラグの抜き差し有と検出した場合に、保守作業による電源断と判別し、その後、予備電源へ切り替えを行わない。また、制御部１００３は、モード判定部１００１が電源プラグの抜き差しはなしと検出した場合に、保守作業による電源断でないと判別する。制御部１００３は、保守作業による電源断でないと判別した場合は、予備電源へ切り替えを行なうことができる。
【００９３】
なお、制御部１００３は、保守作業による電源断と判別した場合は、警報を出力せず、保守作業による電源断でないと判別した場合に、警報を出力してもよい。
【００９４】
［効果の説明］
本実施形態によれば、無線通信装置は、装置内に備わるバックアップ電源のバッテリー容量を削減することができる。
【００９５】
その理由は、本実施形態の無線通信装置が、電源断時、保守作業者による電源プラグの抜き差しの有無を検出することによって、保守作業による電源断か、それ以外の要因で電源断かを判別するからである。その結果、本実施形態の無線通信装置は、保守作業による電源断かを判別するために、起動通知信号の受信を長時間待つ必要がなくなるので、その分、バックアップ電源のバッテリー容量を削減することができる。
【００９６】
なお、上述した実施の形態は、その形態に限定されるものではなく、実施段階ではその要旨を逸脱しない範囲で種々変更可能である。
【００９７】
さらに、上記の各実施形態の一部又は全部は、以下の付記のようにも記載されうるが、以下には限られない。
（付記１）
予備電源を備え、主電源からの電力供給が断たれたとき、電力供給源を前記主電源から前記予備電源に切り替えることが可能な無線通信装置であって、
装置に備わる電源プラグが前記主電源に備わる電源コンセントから抜かれたことを判別すると、前記電源プラグの抜き差しの有無を検出するモード判定部と、
前記モード判定部の前記検出結果に基づいて、保守作業による電源断かを判別し、保守作業による電源断と判別した場合には、前記予備電源へ切り替えを行わない制御部と、を備える、
ことを特徴とする無線通信装置。
（付記２）
前記モード判定部は、前記電源プラグが前記電源コンセントから抜けているプラグ抜け時間を計測し、前記プラグ抜け時間が所定の時間内である場合に、前記電源プラグの抜き差し有と検出し、前記プラグ抜け時間が前記所定の時間内でない場合に、前記電源プラグの抜き差しはなしと検出する、
ことを特徴とする付記１に記載の無線通信装置。
（付記３）
前記制御部は、前記モード判定部が前記電源プラグの抜き差し有と検出した場合に、保守作業による電源断と判別する、
ことを特徴とする付記１乃至２に記載の無線通信装置。
（付記４）
前記制御部は、前記モード判定部が前記電源プラグの抜き差しはなしと検出した場合に、保守作業による電源断でないと判別する、
ことを特徴とする付記１乃至３のいずれか１項に記載の無線通信装置。
（付記５）
前記モード判定部は、所定回数以上、前記プラグ抜け時間が前記所定の時間内であったときに、前記電源プラグの抜き差し有と検出する、
ことを特徴とする付記２乃至４のいずれか１項に記載の無線通信装置。
（付記６）
保守作業による電源断と判別すると、警報を出力しない、
ことを特徴とする付記１乃至５のいずれか１項に記載の無線通信装置。
（付記７）
予備電源を備え、主電源からの電力供給が断たれたとき、電力供給源を前記主電源から前記予備電源に切り替えることが可能な無線通信装置の電源切替方法であって、
装置に備わる電源プラグが前記主電源に備わる電源コンセントから抜かれたことを判別すると、前記電源プラグの抜き差しの有無を検出するモード判定ステップと、
前記モード判定ステップの前記検出結果に基づいて、保守作業による電源断かを判別し、保守作業による電源断と判別した場合には、前記予備電源へ切り替えを行わない制御ステップと、を備える、
ことを特徴とする電源切替方法。
（付記８）
前記モード判定ステップは、前記電源プラグが前記電源コンセントから抜けているプラグ抜け時間を計測し、前記プラグ抜け時間が所定の時間内である場合に、前記電源プラグの抜き差し有と検出し、前記プラグ抜け時間が前記所定の時間内でない場合に、前記電源プラグの抜き差しはなしと検出する、
ことを特徴とする付記７に記載の電源切替方法。
（付記９）
前記制御ステップは、前記モード判定ステップが前記電源プラグの抜き差し有と検出した場合に、保守作業による電源断と判別する、
ことを特徴とする付記７乃至８のいずれか１項に記載の電源切替方法。
（付記１０）
前記モード判定ステップは、所定回数以上、前記プラグ抜け時間が前記所定の時間内であったときに、前記電源プラグの抜き差し有と検出する、
ことを特徴とする付記７乃至９のいずれか１項に記載の電源切替方法。
（付記１１）
前記制御ステップは、前記モード判定ステップが前記電源プラグの抜き差しはなしと検出した場合に、保守作業による電源断でないと判別する、
ことを特徴とする付記７乃至１０のいずれか１項に記載の電源切替方法。
（付記１２）
保守作業による電源断と判別すると、警報を出力しない、
ことを特徴とする付記７乃至１１のいずれか１項に記載の電源切替方法。
（付記１３）
前記警報は、電源断アラームである、
ことを特徴とする付記１乃至６のいずれか１項に記載の無線通信装置。
（付記１４）
前記警報は、電源断アラームである、
ことを特徴とする付記７乃至１２のいずれか１項に記載の電源切替方法。
【符号の説明】
【００９８】
１    無線通信部
２    制御部
３    保守モード判定部
４    電源監視部
５    プラグ状態監視部
６    電源断アラーム判定部
７    バックアップ電源
１１    ＰＨＳ無線通信部
１２    インタフェース（ＩＮＦ）部
１３    ＡＣ／ＤＣ部
５１    スイッチ（ＳＷ）監視部
５２    識別スイッチ
５３    電源プラグ
１００    無線通信装置
１０１    ＰＨＳ無線通信装置
１１０    ＰＨＳ無線通信装置
２００    ユーザ端末
３００    ＰＨＳ網
５０３    保守モード判定部
１０００    無線通信装置
１００１    モード判定部
１００２    制御部
【図１】
2014120120.tif 000003
【図２】
2014120120.tif 000004
【図３】
2014120120.tif 000005
【図４】
2014120120.tif 000006
【図５】
2014120120.tif 000007
【図６Ａ】
2014120120.tif 000008
【図６Ｂ】
2014120120.tif 000009
【図７】
2014120120.tif 000010
【図８】
2014120120.tif 000011
【図９】
2014120120.tif 000012
【図１０】
2014120120.tif 000013
【図１１】
2014120120.tif 000014